(57)【要約】  【課題】  ネットワーク負荷を、通信コストをかけることなく、ＰＯＩ情報を効率的に取得することができる携帯端末および情報提示方法を提供することを目的とする。  【解決手段】  チューナー部１０５がＰＯＩ情報を含んだデジタル放送波を受信し、制御部１０９が、受信されたＰＯＩ情報から、カメラ部１０７の撮影範囲にはいる位置情報のＰＯＩ情報を抽出する。そして、抽出されたＰＯＩ情報を示すアイコンを、ＰＯＩ情報の位置情報に基づいた表示位置に、カメラ部１０７により取得された映像データに重畳して表示部１０４に表示させる。通信部１０６は、表示部１０４に表示されたアイコンのうち、ユーザにより選択されたアイコンに関する詳細情報を、ネットワークを介して取得し、制御部１０９は、通信部１０６により取得された詳細情報を表示部１０４に表示させる。【選択図】  図２
2011166589.tif 000002
【特許請求の範囲】
【請求項１】
レンズを通して映像データを取得するカメラ部および前記カメラ部が取得した映像データを表示する表示部を備える携帯端末において、
位置情報およびコンテンツを特定するＩＤ情報を含んだ付加情報が付加されたデジタル放送波を受信する受信手段と、
前記受信手段により受信された付加情報から、前記カメラ部の撮影範囲にある場所を示す付加情報を抽出する抽出手段と、
前記抽出手段により抽出された付加情報により特定される場所を示すアイコンを、前記場所の位置に基づいて定められた前記表示部における表示位置に、前記カメラ部により取得された映像データに重畳して表示させる表示制御手段と、
前記表示部に表示されたアイコンのうち、選択されたアイコンの付加情報に対応付けられた詳細情報を、ネットワークを介して取得する通信手段と、
を備え、
前記表示制御手段は、前記通信手段により取得された詳細情報を前記表示部に表示させることを特徴とする携帯端末。
【請求項２】
前記受信手段により受信された付加情報は位置情報が所属するエリアの情報を含み、前記抽出手段は携帯端末の現在地と同一エリアに所属する付加情報から、前記カメラ部の撮影範囲にある場所を示す付加情報を抽出することを特徴とする請求項1に記載の携帯端末。
【請求項３】
前記抽出手段は、前記受信手段により受信された付加情報に付加された変更メッセージに応じて、再度付加情報を抽出することを特徴とする請求項１または２に記載の携帯端末。
【請求項４】
場所の種別情報ごとに異なる画像のアイコンを対応付けて記憶する記憶手段をさらに備え、
前記表示制御手段は、場所の種別情報を含んだ付加情報が抽出されると、当該種別情報に対応するアイコンを前記記憶手段から抽出して、映像データに重畳して前記表示部に表示さることを特徴とする請求項１、２または３に記載の携帯端末。
【請求項５】
レンズを通して映像データを取得するカメラ部および前記カメラ部が取得した映像データを表示する表示部を備える携帯端末の情報提示方法において、
位置情報および場所を特定するＩＤを含んだ付加情報が付加されたデジタル放送波を受信する受信ステップと、
前記受信ステップにより受信された付加情報から、前記カメラ部の撮影範囲にある場所を示す付加情報を抽出する抽出ステップと、
前記抽出ステップにより抽出された付加情報により特定される場所を示すアイコンを、前記場所の位置に基づいて定められた前記表示部における表示位置に、前記カメラ部により取得された映像データに重畳して表示させるアイコン表示ステップと、
前記表示部に表示されたアイコンのうち、選択されたアイコンの付加情報に対応付けられた詳細情報を、ネットワークを介して取得する通信ステップと、
前記通信ステップにより取得された詳細情報を前記表示部に表示させる詳細情報表示ステップと
を備える情報提示方法。
【発明の詳細な説明】
【技術分野】
【０００１】
本発明は、実空間の映像にオブジェクトを重畳表示する携帯端末および情報定時方法に関する。
【背景技術】
【０００２】
近年、携帯電話向けのＡＲ（Augmented Reality）システムが開発、提供されており、情報サービスプラットフォームの新しい形として注目を集めている。現在提供されている携帯電話向けＡＲシステムにおいて、携帯電話はその位置情報をサーバに送信し、サーバから現在地周辺にあるＰＯＩ（Point of Interest）等に関するアノテーション情報を取得することができる。
【０００３】
例えば、特許文献１（特開２００６−２５４４１号公報）には、携帯端末の位置に基づいて情報を配信することが記載されている。
【先行技術文献】
【特許文献】
【０００４】
【特許文献１】特開２００６−２５４４１号公報
【発明の概要】
【発明が解決しようとする課題】
【０００５】
しかしながら、配信する情報量が多い地域では、データ通信量が非常に大きくなり、ネットワーク負荷、通信コストが高くなってしまうという問題点がある。
【０００６】
そこで本発明は、ネットワーク負荷を、通信コストをかけることなく、ＰＯＩ等の情報を効率的に取得することができる携帯端末および情報提示方法を提供することを目的とする。
【課題を解決するための手段】
【０００７】
上述の課題を解決するために、本発明の携帯端末は、レンズを通して映像データを取得するカメラ部および前記カメラ部が取得した映像データを表示する表示部を備える携帯端末において、位置情報およびコンテンツを特定するＩＤ情報を含んだ付加情報が付加されたデジタル放送波を受信する受信手段と、前記受信手段により受信された付加情報から、前記カメラ部の撮影範囲にある場所を示す付加情報を抽出する抽出手段と、前記抽出手段により抽出された付加情報により特定される場所を示すアイコンを、前記場所の位置に基づいて定められた前記表示部における表示位置に、前記カメラ部により取得された映像データに重畳して表示させる表示制御手段と、前記表示部に表示されたアイコンのうち、選択されたアイコンの付加情報に対応付けられた詳細情報を、ネットワークを介して取得する通信手段と、を備え、前記表示制御手段は、前記通信手段により取得された詳細情報を前記表示部に表示させる。
【０００８】
また、本発明の情報提示方法は、レンズを通して映像データを取得するカメラ部および前記カメラ部が取得した映像データを表示する表示部を備える携帯端末の情報提示方法において、位置情報および場所を特定するＩＤを含んだ付加情報が付加されたデジタル放送波を受信する受信ステップと、前記受信ステップにより受信された付加情報から、前記カメラ部の撮影範囲にある場所を示す付加情報を抽出する抽出ステップと、前記抽出ステップにより抽出された付加情報により特定される場所を示すアイコンを、前記場所の位置に基づいて定められた前記表示部における表示位置に、前記カメラ部により取得された映像データに重畳して表示させるアイコン表示ステップと、前記表示部に表示されたアイコンのうち、選択されたアイコンの付加情報に対応付けられた詳細情報を、ネットワークを介して取得する通信ステップと、前記通信ステップにより取得された詳細情報を前記表示部に表示させる詳細情報表示ステップとを備えている。
【０００９】
この発明によれば、位置情報およびコンテンツを特定するＩＤからなる付加情報を含んだデジタル放送波を受信し、受信された付加情報から、カメラ部の撮影範囲にある場所を示す付加情報を抽出する。そして、抽出された付加情報により特定される場所を示すアイコンを、場所の位置に基づいて定められた表示部における表示位置に、カメラ部により取得された映像データに重畳して表示させる。表示されたアイコンのうち、選択されたアイコンの付加情報に対応付けられた詳細情報を、ネットワークを介して取得し、取得された詳細情報を表示部に表示させる。これにより、サーバから全ての情報を取得する必要が無くなり、ネットワーク負荷、通信コストを低減することができる。特に、ＰＯＩ情報など付加情報の配信が多い地域では、ネットワーク負荷が高くなる傾向にあったが、デジタル放送を利用することで、そのような地域においても、ネットワーク負荷を低減することができる。
【００１０】
また、本発明の携帯端末において、前記受信手段により受信された付加情報は位置情報が所属するエリアの情報を含み、前記抽出手段は携帯端末の現在地と同一エリアに所属する付加情報から、前記カメラ部の撮影範囲にある場所を示す付加情報を抽出することが好ましい。
【００１１】
この発明によれば、携帯端末の現在地と同一エリアに所属する付加情報から、前記カメラ部の撮影範囲にある場所を示す付加情報を抽出することができ、必要な情報を効率的に抽出することができる。
【００１２】
また、本発明の携帯端末において、前記抽出手段は、カルーセル伝送された付加情報に変更メッセージが付加されている場合には、再度付加情報を抽出することが好ましい。
【００１３】
この発明によれば、カルーセル伝送された付加情報に変更メッセージが付加されている場合には、再度付加情報を抽出することができ、付加情報の変更に適宜対応することができる。
【００１４】
また、本発明の携帯端末において、場所の種別情報ごとに異なる画像のアイコンを対応付けて記憶する記憶手段をさらに備え、前記表示制御手段は、場所の種別情報を含んだ付加情報が抽出されると、当該種別情報に対応するアイコンを前記記憶手段から抽出して、映像データに重畳して前記表示部に表示さることが好ましい。
【００１５】
この発明によれば、種別情報を含んだ付加情報が抽出されると、種別情報に対応するアイコンを予め記憶しているところから抽出して、映像データに重畳して表示さることができる。よって、ユーザは付加情報がどういったものかを認識することができ、詳細情報を見ることなく、視覚的にアイコンを区別して判断することができる。特に、アイコンを付加情報ごとに区別したデザインにした場合には、詳細情報を見ることなく、視覚的にどのような場所であるかを判別することができ、使い勝手のよい装置を提供することができる。
【発明の効果】
【００１６】
本発明によれば、サーバから全ての情報を取得する必要が無くなり、ネットワーク負荷、通信コストを低減することができる。特に、ＰＯＩ情報が多い地域では、ネットワーク負荷が高くなる傾向にあったが、デジタル放送を利用することで、そのような地域においても、ネットワーク負荷を低減することができる。
【図面の簡単な説明】
【００１７】
【図１】本実施形態の携帯端末１００を含んだ通信システムのシステム構成を示す図である。
【図２】携帯端末１００の構成を示すブロック図である。
【図３】携帯端末１００、所属エリアおよび撮影角を模式的に示した図である。
【図４】携帯端末１００の概観図である。
【図５】表示部１０４の表示画面を示す説明図である。
【図６】デジタル放送に含まれているＰＯＩ情報を説明する説明図である。
【図７】ネットワークを介して取得される詳細情報の内容を示す説明図である。
【図８】携帯端末１００の処理を示すフローチャートである。
【発明を実施するための形態】
【００１８】
引き続いて、添付図面を参照しながら本発明の実施形態を説明する。可能な場合には、同一の部分には同一の符号を付して、重複する説明を省略する。
【００１９】
図１は、本実施形態の携帯端末１００を含んだ通信システムのシステム構成を示す図である。図1に示されるように、この通信システムは、携帯端末１００、移動体通信網１５０、インターネット２００、サーバ２１０、サーバ２１１、デジタル放送網３００、および放送局３０１から構成されている。
【００２０】
この携帯端末１００は、サーバ２１０、２１１に対して移動体通信網１５０、およびインターネット２００を介してアクセスすることで、サーバ２１０、２１１からデータを取得することができる。一方、携帯端末１００は、放送局３０１から放送塔を介して放送されるデジタル放送を受信し、その放送波に含まれているＰＯＩ情報を受信することができる。そして、携帯端末１００は、そのＰＯＩ情報を用いてサーバ２１０等にアクセスして、必要な情報を取得することができる。本実施形態において、ＰＯＩ情報は、建物などの施設に関する情報のほか、道路、交差点、史跡、自然物（公園の池、海岸の岬）、地理標識などの場所に関する情報を含んだものである。
【００２１】
なお、図１においては、一つの放送局３０１がデジタル放送を出力し、携帯端末１００はその放送波を受信する構成となっているが、この放送局３０１は複数存在し、複数の放送局３０１から複数種類のデジタル放送が出力されるようにしてもよい。この場合、携帯端末１００で複数の放送局から提供される情報を取得するには、受信するチャンネルを切り換えて放送局ごとにデータ放送を受信する必要がある。なお、複数のデータ放送から所望のものを受信するためには、携帯端末１００に予め受信すべきチャンネルを記憶させておき、記憶されたチャンネルのデータ放送を受信する構成とすればよく、またチャンネル切り替えを行う構成としてもよい。また、ＰＯＩ情報を提供する地域を予め複数のエリアに区分し、各ＰＯＩ情報に所属するエリアを示すラベル情報を付加して放送するようにしてもよい。この場合には、携帯端末１００でラベル情報に基づいてＰＯＩ情報を抽出することができる。
【００２２】
つぎに、この携帯端末１００の構成について説明する。図２は、携帯端末１００の構成を示すブロック図である。図２に示されるように携帯端末１００は、位置情報取得部１０１、キー入力部１０２、方位センサ１０３、表示部１０４、チューナー部１０５、通信部１０６、カメラ部１０７、記憶部１０８、および制御部１０９を含んで構成されている。以下、各構成要素について説明する。
【００２３】
位置情報取得部１０１は、ＧＰＳ（Global Positioning System）を利用して位置情報を測位し、取得する部分である。
【００２４】
キー入力部１０２は、カーソルキーなどから構成されており、カーソル（ポインタ）を操作したり、文字入力を受け付けたりする部分である。
【００２５】
方位センサ１０３は、携帯端末１００の向いている方向を検出するセンサ部である。例えば、パン方向、チルト方向を検出することができる。
【００２６】
表示部１０４は、各種情報を表示する部分である。例えば、ネットワークを介して取得した情報や、カメラ部１０７が撮影した映像データを表示する部分である。
【００２７】
チューナー部１０５は、放送局から放送されるデジタル放送波を受信するための部分である。
【００２８】
通信部１０６は、移動体通信網１５０を介してインターネット２００にアクセスする部分である。
【００２９】
カメラ部１０７は、レンズを介して撮影して得た映像データをデジタル信号に変換して取得する部分である。カメラ部１０７で取得した映像データは、表示部１０４に表示される。
【００３０】
記憶部１０８は、携帯端末１００の各種情報を記憶する部分であり、例えば、実際の撮影データに対して、適宜付加情報であるＰＯＩ情報を合成することができるＡＲアプリケーションを記憶したり、また電話帳データ、アドレス帳データや、カメラ部１０７が撮影したデータを記憶している。また、ＰＯＩ種別情報ごとに対応付けられたアイコンのイメージファイル（例えばＧＩＦファイル）を記憶する。
【００３１】
制御部１０９は、上述位置情報取得部１０１から記憶部１０８を総括制御する部分である。例えば、ユーザにより、キー入力部１０２を介してＡＲアプリケーションが起動されると、位置情報取得部１０１を制御して、携帯端末１００の現在位置を取得させ、携帯端末１００が所属するエリア情報をサーバ２１０等から取得させる。このエリア情報は、例えば関東地方、東京２３区などのエリアを示す情報である。なお、もっと狭いエリアを特定する情報であってもよい。サーバ２１０等においては、携帯端末１００の位置に基づいてどのエリアにいるか判断することができ、その判断したエリアを示すエリア情報を送信するものである。
【００３２】
また、ＡＲアプリケーションの起動と同時に、カメラ部１０７および方位センサ１０３を起動させ、ライブビュー表示（カメラ部１０７を介して撮影された映像データを表示部１０４に表示させる）を開始させる。
【００３３】
さらに、制御部１０９は、ＡＲアプリケーションの起動にあわせて、デジタル放送を受信するためのチューナー部１０５を起動させ、所定チャンネルのデータ放送を受信させる。そして、データ放送に含まれているＰＯＩ情報のうち、携帯端末１００が所属するエリアのＰＯＩ情報を抽出する。なお、このデータ放送により放送されるＰＯＩ情報には、エリアを示すラベル情報が示されており、携帯端末１００は自己が所属するエリアに一致したＰＯＩ情報を抽出するようにしてもよいし、また、ＰＯＩ情報にエリアを示すラベル情報が付加されていない場合には、自己の位置情報を中心に所定範囲にある施設のＰＯＩ情報を抽出するようにしてもよい。
【００３４】
制御部１０９は、抽出したＰＯＩ情報からさらに、方位センサ１０３のセンサ値に基づいて、カメラ部１０７が撮影している方位角およびチルト角を算出し、そのカメラ視界に入っている位置情報のＰＯＩ情報を抽出する。そして、その位置情報に基づいて、ＰＯＩ情報を示すアイコンの表示部１０４の表示位置を決定し、撮影データにそのアイコンを重畳する。
【００３５】
ここで、ＰＯＩ情報の絞込みについて説明する。図３は、携帯端末１００、所属エリアおよび撮影角を模式的に示した図である。図３に示されている通り、携帯端末１００はエリアＡに所属している。そして、撮影角でカバーしている撮影エリアＶが示されている。図３において、ＰＯＩ情報Ｐ１〜Ｐ７が示されており、ＰＯＩ情報Ｐ１〜Ｐ３は、エリアＡにあるとともに、撮影エリアＶの範囲内にある。よって、このＰＯＩ情報Ｐ１〜Ｐ３が抽出される。一方、ＰＯＩ情報Ｐ４〜Ｐ６は、撮影エリアＶ内にあるが、撮影エリアＶ外にある。よって、このＰＯＩ情報Ｐ４〜Ｐ６は、抽出されない。ＰＯＩ情報Ｐ７は、撮影角に概ね含まれていると思われるが、エリアＡ外にある。よって、撮影エリアＶ外となり、ＰＯＩ情報Ｐ７は抽出されない。このようにして、ＰＯＩ情報は絞り込まれる。
【００３６】
また、制御部１０９は、データ放送に含まれているＰＯＩ情報に変更がある旨の変更メッセージがチューナー部１０５の受信したデータに含まれていることを検出すると、チューナー部１０５が新たに受信したデータによって、ＡＲアプリケーションが表示しているＰＯＩ情報を更新する処理を行う。
【００３７】
上述したようにＰＯＩ情報により特定される施設を示すアイコンと撮影データとが重畳表示された後、ユーザにより、キー入力部１０２が操作されることにより、任意のアイコンが選択されると、そのアイコンに対応付けられている施設等を特定するＩＤが抽出され、予め定められたサーバ２１１またはサーバ２１０にアクセスし当該施設等を説明するための詳細情報を抽出する。抽出した詳細情報は表示部１０４に表示される。
【００３８】
このように構成された携帯端末１００の外観について説明する。図４は、携帯端末１００の外観図であり、図４（ａ）が、操作面（表面）を示し、図４（ｂ）が、カメラ部１０７が配置されている面（背面）を示す。図４から明らかな通り、カメラ部１０７にて撮影した撮影データは、表示部１０４にて表示されることになり、ユーザが向いている方向の撮影データにその視界に入っている施設などを示すアイコンを合成して表示することができる。
【００３９】
図５にその具体例を示す。図５は、表示部１０４が表示している撮影データおよびその撮影データに重畳しているアイコンを表示している画面を示す説明図である。
【００４０】
図５（ａ）は、カメラ部１０７が撮影した撮影データのみを表示している表示画面を示す。図５（ｂ）は、カメラ部１０７が撮影した撮影データにアイコン１０４ａを重畳して表示している表示画面を示す。このアイコン１０４ａは、図５（ｂ）では、“info”と標記されており、デジタル放送にて放送された放送波に含まれているＰＯＩ情報で特定される施設・場所等の位置情報に基づいて重畳されたものである。なお、ＰＯＩ情報に名称が含まれている場合には、その名称を表記するようにしてもよい。図５（ｃ）は、アイコン１０４ａのうち任意の一つをユーザが選択したときに取得された詳細情報１０４ｂを表示している表示画面を示す。この詳細情報１０４ｂは、デジタル放送により放送されたＰＯＩ情報に含まれている、コンテンツを示すＩＤに基づいてネットワークを介してサーバ２１０またはサーバ２１１から取得された情報である。
【００４１】
図６は、デジタル放送波に付加されているＰＯＩ情報を説明する説明図である。図６に示されているように、ＰＯＩ情報は、施設を示すＩＤ、その施設・場所等の名称であるＮａｍｅ、施設・場所等の位置・高さを示す座標情報（Ｌａｔ、Ｌｏｎ、Ｈｉｇｈｔ）から構成されている。このＰＯＩ情報の配信はデータ放送ストリームによるＢＭＬ（Broadcast Markup Language）コンテンツの送信に準じて行われる。なお、施設・場所等の名称を示すＮａｍｅは、必ずしも必要ではなく、ネットワークから取得する詳細情報に含めておいてもよい。
【００４２】
また、さらに施設・場所等の種別である種別情報も対応付けておいてもよい。例えば、レストラン、映画館などの施設の種別を示す種別情報もＰＯＩ情報に含んでもよい。その場合、携帯端末１００において、種別情報とアイコン（ＧＩＦなどのイメージファイル）とを対応付けて記憶しておき、ＰＯＩ情報の種別情報を判断し、その種別情報に対応したアイコンを記憶部から読み出し、重畳表示させる処理構成を必要とする。これにより、どのアイコンがどのような施設・どのような場所であるか、ユーザは視覚的に容易に把握することができる。
【００４３】
図７は、ネットワークを介して取得される詳細情報の内容を示す説明図である。図７に示されるように、詳細情報は、施設・場所等を示すＩＤ、施設・場所等の名称を示すＮａｍｅ、施設・場所等の電話番号、施設・場所等の営業日、施設・場所等のＵＲＬ、およびｅ−ｍａｉｌが対応付けられて、少なくともこのうちのいくつかから構成されている。
【００４４】
このような詳細情報はネットワークから取得されるように構成されているため、デジタル放送に含ませる情報を少なくすることができる。
【００４５】
つぎに、このように構成された携帯端末１００の処理について説明する。図８は、携帯端末１００の処理を示すフローチャートである。
【００４６】
ＡＲアプリケーションがユーザ操作により起動されると（Ｓ１００）、まず位置情報取得部１０１により携帯端末１００の位置情報（Ｌａｔ、Ｌｏｎ）が取得される（Ｓ１０１）。そして、制御部１０９による制御に従って通信部１０６により、取得された位置情報に基づいて携帯端末１００が所属するエリアを示すエリア情報がサーバ２１０またはサーバ２１１から取得される（Ｓ１０２）。
【００４７】
エリア情報が取得されると、カメラ部１０７および方位センサ１０３が起動し、表示部１０４に、ライブビューが表示される（Ｓ１０３）。また、これら処理に伴って、デジタル放送を受信するためのチューナー部１０５がバックグラウンドで起動し、そしてこのチューナー部１０５により所定チャンネルのデータ放送が受信される（Ｓ１０５）。
【００４８】
デジタル放送を放送する放送局３０１は、データ放送をカルーセル伝送しており、携帯端末１００においては、カルーセル伝送されたデータ放送が、チューナー部１０５において受信される（Ｓ１０６）。全カルーセルを受信完了すると、受信したデータ放送コンテンツから携帯端末１００が所属するエリアのＰＯＩ情報が制御部１０９により抽出される（Ｓ１０８）。そして、方位センサ１０３のセンサ検出値に基づいて、取得したＰＯＩ情報からカメラ部１０７の視界に入る施設・場所等を示すＰＯＩ情報が、一つまたは複数抽出される（Ｓ１０９）。なお、位置情報の取得処理（Ｓ１０１）、カメラ部１０７・方位センサ１０３の起動処理（Ｓ１０４）、チューナー部１０５の起動処理（Ｓ１０５）の動作順はこれに限ることなく、どのような順番であってもよい。結果的に、表示しているときに、アイコン等の情報を表示することができればよい。
【００４９】
抽出された各ＰＯＩ情報を示すアイコンの表示部１０４における表示位置は、そのＰＯＩ情報に含まれる施設の位置情報に基づいてそれぞれ算出される（Ｓ１１０）。そして、その算出された表示位置に、それぞれアイコンは重畳され表示される（Ｓ１１１）。そして、ユーザによる操作待ち状態、例えばアイコンの選択待ちとなる。
【００５０】
ユーザによるアイコンの選択が行われるまで、表示部１０４に表示されている表示画面は適宜メンテナンス処理、すなわち、撮影方向に応じた撮影データの取得処理およびアイコンの表示位置に演算処理などが行われる（Ｓ１１２）。そして、ユーザによりいずれかのアイコンが選択され、いずれかのＰＯＩ情報により示される施設・場所等の詳細情報の要求がなされると（Ｓ１１３：Ｙｅｓ）、通信部１０６によりサーバ２１１にサクセスされ、ＰＯＩ情報に含まれているコンテンツＩＤに対応した詳細情報が取得され（Ｓ１１４）、取得された詳細情報は表示部１０４に表示される（Ｓ１１５）。ここで詳細情報の表示終了処理の指示がユーザからあると（Ｓ１１６：Ｙｅｓ）、その表示を終了させ、メンテナンス処理が行われる（Ｓ１１２）。
【００５１】
また、Ｓ１１３において、詳細情報の要求が無く、ＡＲアプリケーションの終了指示があると、ＡＲアプリケーションの終了処理を行うとともに、方位センサ１０３、表示部１０４、チューナー部１０５、およびカメラ部１０７の起動をオフにする（Ｓ１１８）。
【００５２】
以上の処理により、ユーザによりＡＲアプリケーションが起動されると、そのアプリケーションに必要なハードウエア、例えば、位置情報取得部１０１、方位センサ１０３、Ｈ表示部１０４、チューナー部１０５、カメラ部１０７等が起動し、適宜必要なＰＯＩ情報をデジタル放送される放送波から取得し、表示部１０４にそのＰＯＩ情報により特定される施設・場所等を示すアイコンを表示させることができる。そして、ユーザは、アイコンを選択することによりさらに詳細な情報をネットワークから取得することができる。
【００５３】
つぎに、本実施形態の携帯端末１００の作用効果について説明する。本実施形態の携帯端末１００において、チューナー部１０５が、施設・場所等の位置を示す位置情報およびコンテンツを特定するＩＤを含んだＰＯＩ情報（付加情報）が付加されたデジタル放送波を受信し、制御部１０９が、受信されたＰＯＩ情報から、カメラ部１０７の撮影範囲にある施設・場所等を示すＰＯＩ情報を抽出する。そして、制御部１０９は、抽出されたＰＯＩ情報を示すアイコンを、当該ＰＯＩ情報により示される施設・場所等の位置に基づいて定められた表示部１０４の表示位置に、カメラ部１０７により取得された映像データに重畳して表示させる。通信部１０６は、表示部１０４に表示されたアイコンのうち、ユーザにより選択されたアイコンに関する詳細情報を、ネットワークを介して取得し、制御部１０９は、通信部１０６により取得された詳細情報を表示部１０４に表示させる。これにより、サーバから全ての情報を取得する必要が無くなり、ネットワーク負荷、通信コストを低減することができる。特に、ＰＯＩ情報が多い地域では、ネットワーク負荷が高くなる傾向にあったが、デジタル放送を利用することで、そのような地域においても、ネットワーク負荷を低減することができる。
【００５４】
なお、ＰＯＩ情報は、エリア情報を含むものであって、制御部１０９は、携帯端末１００の現在地と同一エリアに所属するＰＯＩ情報から、カメラ部１０７の撮影範囲にあるＰＯＩ情報を抽出することが好ましい。これにより、効率的に必要なＰＯＩ情報を抽出することができる。
【００５５】
また、放送局３０１から放送されるデータ放送はカルーセル伝送により放送されるものであり、この携帯端末１００の制御部１０９は、このカルーセル伝送された放送波に含まれているＰＯＩ情報に変更メッセージが付加されていると判断する場合には、再度ＰＯＩ情報を抽出することができ、ＰＯＩ情報の変更に適宜対応することができる。
【００５６】
また、この携帯端末１００において、記憶部１０８は、ＰＯＩ種別情報に対応するアイコンを予め記憶しており、制御部１０９は、ＰＯＩ種別情報を含んだＰＯＩ情報を抽出すると、記憶部１０８から対応するアイコンを抽出して、映像データに重畳して表示さることができる。よって、ＰＯＩ情報を認識しやすくすることができ、詳細情報見なくても、視覚的にアイコンを区別して判断することができる。特に、アイコンをＰＯＩ情報ごとに区別したデザインにした場合には、詳細情報を見ることなく、視覚的に施設を判別することができ、使い勝手のよい装置を提供することができる。
【符号の説明】
【００５７】
１００…携帯端末、１０１…位置情報取得部、１０２…キー入力部、１０３…方位センサ、１０４…表示部、１０４ａ…アイコン、１０５…チューナー部、１０６…通信部、１０７…カメラ部、１０８…記憶部、１０９…制御部、１５０…移動体通信網、２００…インターネット、２１０…サーバ、２１１…サーバ、３００…デジタル放送網、３０１…放送局。
【図１】
2011166589.tif 000003
【図２】
2011166589.tif 000004
【図３】
2011166589.tif 000005
【図４】
2011166589.tif 000006
【図５】
2011166589.tif 000007
【図６】
2011166589.tif 000008
【図７】
2011166589.tif 000009
【図８】
2011166589.tif 000010